(57)【特許請求の範囲】
【請求項１】
環状の額縁を有するとともに、該額縁の外周辺に設けられる一対の側面および一対の端面を有するフロントフレーム、
前記一対の側面および前記一対の端面によって挟み込まれるモールドフレーム、
前記フロントフレームと前記モールドフレームとのあいだに配置された表示パネル
を備える表示装置であって、
前記表示パネルに隙間を隔てて配置された複数のフィルムを介して回路基板が接続されており、
前記隙間に挿入され、前記側面および端面とフィルムが接触しないように、前記表示パネルと接触し、前記表示パネルの位置合わせを行う凸状のストッパー片が、前記フロントフレームに絞り加工を施して前記側面および前記端面の内側に形成されてなる
ことを特徴とする表示装置。
【請求項２】
前記ストッパー片によって、前記表示パネルの位置合わせとともに、前記モールドフレームの位置合わせが行なわれる請求項１記載の表示装置。
【請求項３】
前記側面および前記端面と前記ストッパー片の位置合わせ面との距離が０．１〜０．５ｍｍである請求項１または２記載の表示装置。
【請求項４】
前記距離が０．３〜０．５ｍｍである請求項３記載の表示装置。
【請求項５】
前記表示パネルが、液晶表示パネル、プラズマディスプレイパネル、電界放出型ディスプレイパネル、発光ダイオードディスプレイパネルまたはエレクトロルミネセントディスプレイパネルである請求項１〜４のいずれか１項に記載の表示装置。
【請求項６】
環状の額縁を有するとともに、該額縁の外周辺に設けられる一対の側面および一対の端面を有するフロントフレーム、該フロントフレームとモールドフレームとのあいだに配置される表示パネルを備える表示装置であって、
前記表示パネルに隙間を隔てて配置された複数のフィルムを介して回路基板が接続されており、
前記隙間に挿入され、前記側面および端面とフィルムが接触しないように、前記表示パネルと接触し、前記表示パネルの位置合わせを行う凸状の第１のストッパー片が、
前記フロントフレームに絞り加工を施して前記側面および前記端面に形成されているとともに、前記モールドフレームの周辺に前記表示パネルの位置合わせ用の第２のストッパー片が形成されており、該第２のストッパー片が前記第１のストッパー片と前記表示パネルを介して当該表示パネルの両側面あるいは両端面に向かう方向に対向してなることを特徴とする表示装置。
【請求項７】
前記一対の側面および前記一対の端面によって前記モールドフレームが挟み込まれている請求項６記載の表示装置。
【請求項８】
前記第１のストッパー片が、前記側面および前記端面を絞り加工して作られる段差部である請求項６または７記載の表示装置。
【請求項９】
前記表示パネルに、隙間を隔てて配置された複数のフィルムを介して回路基板が接続されており、前記第１のストッパー片が前記隙間に挿入されてなる請求項６〜８のいずれか１項に記載の表示装置。
【請求項１０】
前記第１のストッパー片が挿入される隙間を他の隙間より広くする請求項９記載の表示装置。
【請求項１１】
前記第１のストッパー片によって、前記表示パネルの位置合わせとともに、前記モールドフレームの位置合わせが行なわれる請求項６〜１０のいずれか１項に記載の表示装置。
【請求項１２】
前記側面および前記端面と前記第１のストッパー片の位置合わせ面との距離が０．１〜０．５ｍｍである請求項６〜１１のいずれか１項に記載の表示装置。
【請求項１３】
前記距離が０．３〜０．５ｍｍである請求項１２記載の表示装置。
【請求項１４】
前記表示パネルが、液晶表示パネル、プラズマディスプレイパネル、電界放出型ディスプレイパネル、発光ダイオードディスプレイパネルまたはエレクトロルミネセントディスプレイパネルである請求項６〜１３のいずれか１項に記載の表示装置。
【請求項１５】
環状の額縁を有するとともに、該額縁の外周辺に設けられる一対の側面および一対の端面を有するフロントフレーム、前記一対の側面および前記一対の端面によって挟み込まれるモールドフレーム、前記フロントフレームと前記モールドフレームとのあいだに配置された表示パネル、前記フロントフレームまたは前記モールドフレームに設けられた締結部材を介して前記表示パネルを固定する筐体を備える画像端末装置であって、
前記表示パネルに隙間を隔てて配置された複数のフィルムを介して回路基板が接続されており、
前記隙間に挿入され、前記側面および端面とフィルムが接触しないように、前記表示パネルと接触し、前記表示パネルの位置合わせを行う凸状の第１のストッパー片が、
前記側面および前記端面に前記フロントフレームに絞り加工を施して形成されてなることを特徴とする画像端末装置。
【請求項１６】
環状の額縁を有するとともに、該額縁の外周辺に設けられる一対の側面および一対の端面を有するフロントフレーム、該フロントフレームとモールドフレームとのあいだに配置される表示パネル、前記フロントフレームまたは前記モールドフレームに設けられる締結部材を介して前記表示パネルを固定する筐体を備える画像端末装置であって、
前記表示パネルに隙間を隔てて配置された複数のフィルムを介して回路基板が接続されており、
前記隙間に挿入され、前記側面および端面とフィルムが接触しないように、前記表示パネルと接触し、前記表示パネルの位置合わせを行う凸状の第１のストッパー片が、
前記側面および前記端面に形成されているとともに、前記モールドフレームの周辺に前記表示パネルの位置合わせ用の第２のストッパー片が前記フロントフレームに絞り加工を施すことによって形成されており、該第２のストッパー片が前記第１のストッパー片と前記表示パネルを介して当該表示パネルの両側面あるいは両端面に向かう方向に対向してなることを特徴とする画像端末装置。
【請求項１７】
前記第１のストッパー片が、前記側面および前記端面を絞り加工して作られる段差部である請求項１６記載の画像端末装置。
【発明の詳細な説明】
【０００１】
【発明の属する技術分野】
本発明は、フレームに表示パネルの位置合わせ用のストッパー片を形成させた表示装置およびその製法ならびに該表示装置を用いた画像端末装置に関する。
【０００２】
【従来の技術】
図１１は従来の液晶表示装置の主要構成部材を分解して示した斜視図である。
【０００３】
液晶表示パネル１００は、所定間隔を隔てて配置された複数のＴＣＰ１０１（Tape Carrier Package）の基材フィルムを介して回路基板１０２と接続されている。この液晶表示パネル１００をフロントフレーム１０３とモールドフレーム１０４で挟み込んで液晶表示装置１０５が作製される。
【０００４】
以上のような構成を有する液晶表示装置１０５において、液晶表示パネル１００の厚さ方向の位置ずれは、モールドフレーム１０４とフロントフレーム１０３で挟むことで防止されている。これに対し、液晶表示パネル１００の上下および左右方向には、図１１に示されたリブと呼ばれるストッパー片１０６でもってその方向の位置合わせを行なっている。
【０００５】
【発明が解決しようとする課題】
しかし、前記液晶表示装置おいては、フロントフレーム１０３の環状の額縁を狭くすることが困難という問題があった。とりわけ最近、液晶表示装置の額縁を可能な限り狭くした上でこれをパソコンに搭載し、画像面の無駄なスペースをなくし商品の差別化を図りたいというユーザー（パソコンメーカ）の要望が強まっており、この問題の重要性が顕在化している。
【０００６】
以下、問題点をより具体的に図面を参照して説明する。図１２は図１１の構成部材を組んだ状態において、図１１に示されたＡ−Ａ線に沿った部分の断面図である。
【０００７】
リブ１０６は、ポリカーボネート製のモールドフレーム１０４と一体成形されており、その成形および機械的強度には所定肉厚（１〜２ｍｍ程度）の確保が必須である。ここで、リブ１０６によって、液晶表示パネル１００の位置合わせとともに、図１２に示すように、ＴＣＰフィルム１０１とフロントフレーム１０３の接触干渉の回避がなされている。
【０００８】
以上のような構成を採用しているため、フロントフレーム１０３の環状額縁の幅Ｌは、ストッパー片の肉厚相当分（１〜２ｍｍ）だけ広がっており、このことが狭額縁化の妨げの要因のひとつであった。
【０００９】
本発明は、前記問題を解消するためになされたもので、その第１の目的は、フロントフレームの額縁を狭くできる表示装置を提供するものである。
【００１０】
また、第２の目的は、フロントフレームの額縁を狭くできるとともに、表示パネルとモールドフレームの位置合わせの精度を向上できる表示装置を提供するものである。
【００１１】
また、第３の目的は、表示パネルとモールドフレームの位置合わせ作業工程を簡素化できるとともに、狭額縁化に対応できる表示装置の製法を提供するものである。
【００１２】
また、第４の目的は、フロントフレームの額縁を狭くすることで、表示画像面を広げることのできる画像端末装置を提供するものである。
【００１３】
なお、液晶パネルをフロントフレームに設けられた突起で固定する点が、特開平９−６１７９５号公報に開示され、この突起が、液晶パネルの位置合わせを行なうという点で、本発明におけるストッパー片の機能と共通する。しかし、特開平９−６１７９５号公報の図１によると、回路基板２（本発明のモールドフレームに相当）は、金属フレーム４（本発明のフロントフレームに相当）の側端面で挟み込まれていない。したがって、この公報に記載された内容から液晶表示装置の狭額縁化を図るという課題認識はまったく得られず、この公報記載の課題解決手段は、以下に述べる本発明のそれとは異なるものである。
【００１４】
【課題を解決するための手段】
本発明の表示装置は、環状の額縁を有するとともに、該額縁の外周辺に設けられる一対の側面および一対の端面を有するフロントフレーム、前記一対の側面および前記一対の端面によって挟み込まれるモールドフレーム、前記フロントフレームと前記モールドフレームとのあいだに配置される表示パネルを備える表示装置であって、
前記表示パネルに隙間を隔てて配置された複数のフィルムを介して回路基板が接続されており、
前記隙間に挿入され、前記側面および端面とフィルムが接触しないように、前記表示パネルと接触し、前記表示パネルの位置合わせを行う凸状の第１のストッパー片が、
前記フロントフレームに絞り加工を施して前記側面および前記端面の内側に形成されてなることを特徴とする。
【００１７】
前記ストッパー片によって表示パネルの位置合わせのほか、モールドフレームの位置合わせを行なうことも可能である。
【００１８】
前記側面および前記端面と前記ストッパー片の位置合わせ面との距離は０．１〜０．５ｍｍに設定する。この距離は、より望ましくは０．３〜０．５ｍｍである。
【００１９】
前記表示パネルとしては、液晶表示パネル、プラズマディスプレイパネル、電界放出型ディスプレイパネル、発光ダイオードディスプレイパネルまたはエレクトロルミネセントディスプレイパネルが適用される。
【００２０】
また本発明の表示装置は、環状の額縁を有するとともに、該額縁の外周辺に設けられる一対の側面および一対の端面を有するフロントフレーム、該フロントフレームとモールドフレームとのあいだに配置される表示パネルを備える表示装置であって、前記側面および前記端面に表示パネルの位置合わせ用の第１のストッパー片が前記フロントフレームに絞り加工を施して形成されているとともに、前記モールドフレームの周辺に表示パネルの位置合わせ用の第２のストッパー片が形成されており、該第２のストッパー片が前記第１のストッパー片と前記表示パネルを介して当該表示パネルの両側面あるいは両端面に向かう方向に対向してなることを特徴とする。
【００２１】
前記一対の側面および一対の端面によってモールドフレームが挟み込まれている。
【００２２】
第１のストッパー片は、前記側面および前記端面を絞り加工して作られる段差部であるのが好ましい。
【００２３】
前記表示パネルは、隙間を隔てて配置された複数のフィルムを介して回路基板と接続されており、前記第１のストッパー片が前記隙間に挿入されていてもよい。なお、好ましくは、第１のストッパー片の挿入される隙間を他の隙間より広げる。
【００２４】
また、前記第１のストッパー片によって、前記表示パネルの位置合わせのほか、前記モールドフレームの位置合わせも可能である。
【００２５】
前記側面および前記端面と前記第１のストッパー片の位置合わせ面との距離は０．１〜０．５ｍｍに設定する。この距離は、より望ましくは０．３〜０．５ｍｍである。
【００２６】
前記表示パネルとしては、液晶表示パネル、プラズマディスプレイパネル、電界放出型ディスプレイパネル、発光ダイオードディスプレイパネルまたはエレクトロルミネセントディスプレイパネルが適用可能である。
【００２７】
また本発明の表示装置の製法は、モールドフレームに表示パネルを重ねたのち、前記表示パネルの上下方向および左右方向の位置合わせを行なうため、前記モールドフレームに前記フロントフレームに絞り加工を施して形成されたストッパー片に前記表示パネルを突き合わせ、ついで前記表示パネルをフロントフレームで覆うとともに、前記表示パネルを前記フロントフレームに形成されたストッパー片に接触させることを特徴とする。
【００２８】
前記表示パネルには、隙間を隔てて配置されたフィルムを介して回路基板が装着されており、前記フロントフレームに形成されたストッパー片を前記隙間に挿入するのが好ましい。
【００２９】
また本発明の画像端末装置は、環状の額縁を有するとともに、該額縁の外周辺に設けられる一対の側面および一対の端面を有するフロントフレーム、前記一対の側面および前記一対の端面によって挟み込まれるモールドフレーム、前記フロントフレームと前記モールドフレームとのあいだに配置された表示パネル、前記フロントフレームまたは前記モールドフレームに設けられた締結部材を介して前記表示パネルを固定する筐体を備える画像端末装置であって、前記側面および前記端面に、前記表示パネルの位置合わせ用のストッパー片が前記フロントフレームに絞り加工を施すことによって形成されてなることを特徴とする。
【００３０】
さらに、本発明の画像端末装置は、環状の額縁を有するとともに、該額縁の外周辺に設けられる一対の側面および一対の端面を有するフロントフレーム、該フロントフレームとモールドフレームとのあいだに配置された表示パネル、前記フロントフレームまたは前記モールドフレームに設けられる締結部材を介して前記表示パネルを固定する筐体を備える画像端末装置であって、前記側面および前記端面に前記表示パネル位置合わせ用の第１のストッパー片が前記フロントフレームに絞り加工を施すことによって形成されているとともに、前記モールドフレームの周辺に前記表示パネル位置合わせ用の第２のストッパー片が形成されており、該第２のストッパー片が前記第１のストッパー片と前記表示パネルを介して当該表示パネルの両側面あるいは両端面に向かう方向に対向してなることを特徴とする。
【００３１】
前記第１のストッパー片は、前記側面および前記端面を絞り加工して作られた段差部であるのが好ましい。
【００３２】
【発明の実施の形態】
実施の形態１
以下、図面を参照しつつ実施の形態１を説明する。
【００３３】
本実施の形態では、表示装置の例として、液晶表示装置につき説明するが、本発明は、これに限られるものではなく、たとえば、プラズマディスプレイパネル、電界放出型ディスプレイパネル、発光ダイオードディスプレイパネルまたはエレクトロルミネセントディスプレイパネルを組み込んだ表示装置にも応用可能である。
【００３４】
図１は実施の形態１の液晶表示装置の主要構成部材を分離して示した斜視図である。
【００３５】
液晶表示パネル１は、所定ギャップ（約５μｍ）を保った上下ガラス基板２、３と、ギャップ中に注入された液晶により構成されている。そして、液晶表示パネル１の下ガラス基板３には、ゲート配線およびソース配線が設けられている。これらの配線に信号を伝送するゲート配線用とソース配線用の回路基板４は、所定間隔隔てて配置された複数のＴＣＰ（Tape Carrier Package）フィルム５を介して液晶表示パネルの下ガラス基板３に電気的に接続されている。また図２に示されるように、液晶表示パネル１に接続され、ＩＣチップ６の搭載されたＴＣＰフィルム５は折り曲げられ、これによって、回路基板４はモールドフレーム８の裏面に配置される。なお、ここでは、回路基板４と液晶表示パネル１間の接続部材としてＴＣＰを例にあげて説明したが、これは、ＣＯＦ（Chip on Film）またはＦＰＣ(Flexible Printed Circuit）であってもよい。
【００３６】
この液晶表示パネル１をフロントフレーム７とモールドフレーム８で挟み込んで液晶表示装置９が作られる。なお、フロントフレーム７の材質には、たとえばステンレス鋼などの金属を、モールドフレーム８の材質にはポリカーボネート樹脂を使用する。
【００３７】
フロントフレーム７とモールドフレーム８のいずれも凹状溝を有して側壁で囲まれた箱型になっている。ここで、液晶表示パネル１の表示面を露出させる目的で、フロントフレーム７の略中央部には開口部１０が設けられている。また、液晶表示パネル１の表示面の周囲をフロントフレーム７の環状の額縁１１が覆う。そして、この額縁１１の外周辺に設けられ、互いに対向した一対の側面１２および端面１３により液晶表示パネル１およびモールドフレーム８は挟み込まれている。
【００３８】
一方、線状光源１４は、モールドフレーム８の凹状溝の一端に配置され、この光源に近接する透明導光板（アクリル製）が、前記凹状溝中の収納されている。このような光学部品の配置によって、導光板に入射した線状光源からの光は、その裏面に形成された反射層によって多重散乱され面状の光源に変換された上で、液晶表示パネル１の裏面に入射される。
本実施の形態１の特徴は、フロントフレーム７の側面１２および端面１３に絞り加工を施したストッパー片１５を設けた点にある。ストッパー片１５においては、側面１２および端面１３に対して段差部が形成され、より具体的にはフロントフレーム７の内側の溝から見て凸状に突出した突出部が形成されている。図３は図１の構成部材を組んだ状態において、液晶表示装置の裏面からみた平面図である（ただし、図を簡略化するため、モールドフレームの記載を省略している）。図４は図１の構成部材を組んだ状態の図であって、図１に示したIII−III線の断面図である。環状の額縁１１の外周辺に設けられ、ほぼ垂直にこの額縁１１と交差する一対の側面１２および一対の端面１３をフロントフレーム７は有している。そして、これらの面１２、１３にストッパー片１５が形成されている。この絞り加工のストッパー片１５を、フロントフレームの外周辺すべて（対向する一対の側面１２および端面１３のすべての面）に設けてもよいが、少なくとも２つの外周辺にストッパー片１５を形成することで、表示パネル１の位置合わせを確実に行ない得る。
【００３９】
図３および図４に示したように、絞り加工されたストッパー片１５が液晶表示パネル１と接触して液晶表示パネル１の位置合わせを行なう場合、このストッパー片１５を設けたことで、折り曲げられたＴＣＰフィルム５とフロントフレーム７の接触を回避できる。すなわち、ストッパー片１５は、液晶表示パネル１の位置合わせを行なう際に、ＴＣＰフィルム５とフロントフレーム７の接触による配線切れを防止する役割を果たしている。なお、ここで、側面１２および端面１３とストッパー片１５との位置合わせ面との距離Ｈについては、▲１▼フィルム自体の厚さ、▲２▼フロントフレーム７およびＴＣＰフィルム５の振動接触、▲３▼フィルム５の曲げ余裕度合いを考慮して、０．１ｍｍ以上、より望ましくは０．３ｍｍ以上確保することを要する。一方、距離Ｈを大きくし過ぎるとフロントフレームの狭額縁化が図れないため、この距離Ｈの最大値は、好ましくは０．５ｍｍである。
【００４０】
また、このストッパー片１５は、図５に示すようにフロントフレーム７の額縁面１６から底面１７まで連続して形成することができるが、フロントフレーム７の額縁面から液晶表示パネル１の下ガラス基板３まで部分的に形成してもよい。ストッパー片１５を連続して形成すると、これによって液晶表示パネル１の位置合わせのほか、モールドフレーム８の位置合わせも行ない得る。
【００４１】
さらには、図６（ａ）に示すように、液晶表示パネル１に複数のＴＣＰフィルム５を均等間隔に配置して、フィルム間の隙間１８（約１ｍｍ）に図３のストッパー片１５を挿入してもよく、図６（ｂ）に示すように、液晶表示パネル１に複数のＴＣＰフィルム５を不均等間隔に配置して、フィルム間距離が広げられた隙間１８（約４ｍｍ）にストッパー片１５を挿入してもよい。広げた部分にストッパー片１５を挿入すれば、ストッパー片１５の幅を最大４ｍｍ程度まで広げることができ、液晶表示パネル１の下ガラス基板３の位置合わせにおいてガラスに対する衝撃を緩和できる。
【００４２】
以上のような構成を採用することで、図１１および図１２のモールドフレームに一体成形されたリブ１０６が不要になって、リブ１０６の肉厚（１〜２ｍｍ）から距離Ｈの前記望ましい範囲（０．１〜０．５ｍｍ）を差し引いた値分だけ額縁の幅を狭くでき、このことが液晶表示装置９の狭額縁化に寄与する。
【００４３】
なお、本実施の形態１記載の絞り加工については、加工精度に優れているため、位置合わせ精度の向上が図れるという効果がある。また、フロントフレームを加工してストッパー片を形成できるため、ストッパー片の形成コストを低く抑えることができる。
【００４４】
参考例２
以下、図面を参照しつつ参考例２を説明する。
【００４５】
なお、ストッパー片の構成に関する箇所を除いた他の構成は、実施の形態１と同じであるため、その部分の説明は省略する。
【００４６】
図７（ａ）は参考例２について、フロントフレームに配置されたストッパー片の構成を説明する側面図であり、図７（ｂ）は液晶表示装置の断面図である。フロントフレーム７の側面および端面の根元１９から突出した突起２０が形成されている。そして、この突起２０に対して、図７（ａ）に示した破線Ｓに沿って折り曲げ加工を施す。折り曲げられた突起２０は、液晶表示パネル１とモールドフレーム８の位置合わせ用のストッパー片１５として使用される。フロントフレーム７の材質としては、折り曲げ加工が可能な金属、たとえばアルミニウムやステンレス鋼を使用する。
【００４７】
本参考例２記載の曲げ加工については、実施の形態１記載の絞り加工と同様、コストを低減できるという効果がある。
【００４８】
参考例３
以下、図面を参照しつつ参考例３を説明する。
【００４９】
なお、ストッパー片の構成に関する箇所を除いた他の構成は、実施の形態１と同じであるため、その部分の説明は省略する。
【００５０】
図８は参考例３について、フロントフレームに配置されたストッパー片の構成を説明するための液晶表示装置の断面図である。接着剤、両面テープまたは溶接などを使って矩形状のスペーサ材２１をフロントフレーム７の側面および端面に付着する。スペーサ材２１の材質として、たとえば金属を用いる。
【００５１】
本参考例３記載のスペーサ材を使うことで、精密加工の難しい材質をフロントフレームに使用する場合であってもストッパー片が形成できる。
【００５２】
実施の形態４
以下、図面を参照しつつ実施の形態４を説明する。
【００５３】
なお、ストッパー片の構成に関する箇所を除いた他の構成は、実施の形態１と同じであるため、その部分の説明は省略する。
【００５４】
図９は実施の形態４の液晶表示装置の主要構成部材を分離して示した斜視図である。
【００５５】
フロントフレーム７には、互いに対向する一対の側面１２および端面１３のうち一方に絞り加工されたストッパー片１５（突起部）が形成されている。モールドフレーム８には、表示パネル１を介してこのストッパー片１５に対向した別のストッパー片２２が形成されている。モールドフレーム８と一体形成されたストッパー片２２によって液晶表示パネル１とモールドフレーム８の位置合わせ精度は格段に向上する。
【００５６】
図９に示された液晶表示装置９は、以下のようにして作製される。
【００５７】
まず、モールドフレーム８に液晶表示パネル１を重ねて、モールドフレーム８に一体成形されたストッパー片２２に、液晶表示パネル１を突き合わせて、これにより液晶表示パネル１の上下方向および左右方向の位置合わせを行なう。ここで、この液晶表示パネル１の周辺には回路基板４が、隙間をもって隔てられた複数のＴＣＰフィルム５を介して装着されており、ＴＣＰフィルム５を折り曲げて回路基板４をモールドフレーム８の裏面に配置する。
【００５８】
つぎに、液晶表示パネル１をフロントフレーム７で覆うとともに、液晶表示パネル１に装着されたＴＣＰフィルム間の隙間にフロントフレーム７に形成されたストッパー片１５を挿入して、該ストッパー片１５を液晶表示パネル１に接触させて位置合わせを行なう。
【００５９】
こうすると、ストッパー片１５の形成されたフロントフレーム７の額縁１１は狭くできるとともに、モールドフレーム８のストッパー片２２に液晶表示パネル１の突き合わせ接触が可能となるため、煩雑な位置合わせ作業が不要となり、これに関連する製造工程の簡素化が図れる。
【００６０】
なお、本実施の形態４では、実施の形態１で説明した絞り加工でストッパー片１５（段差部）を形成する例を説明しているが、これに限らず、折り曲げ加工（参考例２）またはスペーサ材（参考例３）のストッパー片を形成しても同様の効果が得られる。
【００６１】
実施の形態５
図１０は本発明の表示装置を備えた画像端末装置（たとえば、パーソナルコンピュータ（パソコン））の分解斜視図である。パソコン２３の信号線、グランド線、電源線の各配線２４は、液晶表示装置９の回路基板と接続され、液晶表示装置９はこれらの配線とともに筐体２５内に収納される。この際、フロントフレーム７またはモールドフレーム８に設けられたネジ穴や両面テープなどの締結部材２６を介して液晶表示装置は筐体２５に固定される。
【００６２】
ここで、液晶表示装置９のフロントフレーム７は狭額縁化されており、パソコン２３などの画像端末装置にこれを搭載すれば、額縁の狭くなった分、画像面の有効表示領域が従来品と比較して広がり、パソコン２３の商品価値を高めることができる。
【００６３】
【発明の効果】
請求項１〜５にかかわる発明によれば、フロントフレームに表示パネルの位置合わせ用のストッパー片を前記フロントフレームに絞り加工を施して形成したため、フロントフレームの額縁を狭くできる表示装置が得られる。
【００６４】
請求項６〜１４にかかわる発明によれば、フロントフレームに表示パネルの位置合わせ用の第１のストッパー片を形成するとともに、これに当該表示パネルの両側面あるいは両端面に向かう方向に対向してモールドフレームにも表示パネル位置合わせ用の第２のストッパー片を形成したため、フロントフレームの額縁を狭くできるとともに、表示パネルとモールドフレームの位置合わせの精度を向上できる表示装置が得られる。
【００６６】
請求項１６〜１７にかかわる発明によれば、フロントフレームに表示パネルの位置合わせ用のストッパー片を形成したため、フロントフレームの額縁を狭くすることで、表示画像面を広げることができる画像端末装置が得られる。
【図面の簡単な説明】
【図１】  本発明の実施の形態１を示す液晶表示装置の分解斜視図である。
【図２】  本発明の実施の形態１におけるＴＣＰフィルムと回路基板の配置を説明するIII−III線断面図である。
【図３】  本発明の実施の形態１を示す液晶表示装置の裏面の平面図である。
【図４】  本発明の実施の形態１を示すストッパー片を説明するための液晶表示装置の断面図である。
【図５】  本発明の実施の形態１を示すフロントフレームの斜視図である。
【図６】  本発明の実施の形態１を示す回路基板と接続された液晶表示パネルの平面図（ａ）と他の平面図（ｂ）である。
【図７】  参考例２を示すストッパー片の構成を説明するための側面図（ａ）および液晶表示装置の断面図（ｂ）である。
【図８】  参考例３を示すストッパー片を説明するための液晶表示装置の断面図である
【図９】  本発明の実施の形態４を示す液晶表示装置の分解斜視図である。
【図１０】  本発明の実施の形態５を示す画像端末装置の分解斜視図である。
【図１１】  従来の液晶表示装置の分解斜視図である。
【図１２】  従来のリブを説明するための液晶表示装置のＡ−Ａ線断面図である。
【符号の説明】
１  液晶表示パネル
２、３  上下ガラス基板
４  回路基板
５  ＴＣＰフィルム
６  ＩＣチップ
７  フロントフレーム
８  モールドフレーム
９  液晶表示装置
１０  開口部
１１  額縁
１２  側面
１３  端面
１４  線状光源
１５  ストッパー片
１６  額縁面
１７  底面
１８  隙間
１９  根元
２０  突起
２１  スペーサ材
２２  別のストッパー片
２３  パソコン
２４  配線
２５  筐体
２６  締結部材
【図１】
0004210423.tif 000002
【図２】
0004210423.tif 000003
【図３】
0004210423.tif 000004
【図４】
0004210423.tif 000005
【図５】
0004210423.tif 000006
【図６】
0004210423.tif 000007
【図７】
0004210423.tif 000008
【図８】
0004210423.tif 000009
【図９】
0004210423.tif 000010
【図１０】
0004210423.tif 000011
【図１１】
0004210423.tif 000012
【図１２】
0004210423.tif 000013